(57)【特許請求の範囲】
【請求項１】
溶存・懸濁性物質を含む被測定溶液中の水質汚濁項目、Ｔ−Ｎ、ＮＨ４−Ｎ、ＮＯ３−Ｎ、ＮＯ２−Ｎ、Ｔ−Ｐ、Ｐ０４−Ｐ、有機物質、クロロフィルａ、フミン酸について、溶存・懸濁性物質濃度を近赤外分光法によって計測する方法において、
前記溶存・懸濁性物質を含む被測定溶液を０.２〜２μｍのフィルタでろ過し、ろ液と残渣に分け、ろ液は分画分子量２０００〜４０００を有する限外ろ過膜及び分画分子量３０〜５０を有する逆浸透膜で分離する第１の前処理と、前記第１の前処理をした前記フィルタを６０°Ｃ〜１０５°Ｃ、２〜８時間乾燥する第２の前処理と、前記第１の前処理をした限外ろ過膜及び逆浸透膜を−１０°Ｃ〜−２０°Ｃで凍結乾燥した後に、該限外ろ過膜、逆浸透膜を３０°Ｃ〜４０°Ｃ、１０％〜２０％ＲＨの加熱乾燥、又は絶対圧力５〜１０ｍｍＨｇの真空圧下で２０°Ｃ〜３０°Ｃに保持温度による真空凍結乾燥する第３の前処理とからなる前記被測定溶液中の前記溶存・懸濁性物質をろ過、分離する工程、
前記溶存・懸濁性物質をろ過、分離した前記フィルタ上の残渣、及び前記限外ろ過膜及び逆浸透膜上の残渣に１２６０〜１２９０ｎｍ、１３５０〜１４６０ｎｍ、１５６０〜１５９０ｎｍ、１６１０〜１６８０ｎｍ、１７４０〜１８８０ｎｍ、２０３０〜２０６５、２０８０〜２２８０ｎｍ、２３００〜２３６０ｎｍ、２４００〜２４８０ｎｍの波長の近赤外光を順次照射し、前記残渣から反射または透過してくる反射光又は透過光をセンサによって検出し、吸光度スぺクトルを計測し、前記残渣の吸光度スぺクトルによって前記残渣の溶存・懸濁物質を計測する工程
とからなることを特徴とする溶存・懸濁性物質濃度を近赤外線分光法によって計測する方法。
【請求項２】
吸光度スぺクトルを計測する工程は、前記フィルタ上の残渣に前記波長の赤外光を照射し、その反射光又は透過光の光強度と参照濃度より解析・計測することにより第１の測定値を得る第１の解析・測定工程と、
前記限外ろ過膜及び逆浸透膜上の残渣に前記波長の赤外光を照射し、その反射光又は透過光の光強度と参照濃度より解析・計測することにより第２の測定値を得る第２の解析・測定工程と
からなることを特徴とする請求項１の溶存・懸濁性物質濃度を近赤外分光法によって計測する方法。
【請求項３】
前記溶存・懸濁物質を計測する工程において、前記第１の測定値を不溶性物質又は懸濁性物質の濃度である第１の濃度とし、前記第２の測定値を溶存性物質濃度である第２の濃度とし、該第１の濃度と第２の濃度の和を全水質汚濁物質濃度として示すことを特徴とする請求項２の溶存・懸濁性物質濃度を近赤外分光法によって計測する方法。
【請求項４】
前記残渣の吸光度スぺクトルによって前記残渣の溶存・懸濁物質を計測する工程において、クロロフィルａの濃度は、式１によって演算することを特徴とする請求項１の溶存・懸濁性物質濃度を近赤外分光法によって計測する方法。
【式１】
CHL-a＝４７１．１−１０５５．１５Ｌ（λ１）＋１３２３．２６Ｌ（λ２）−１９８．２４８０１６Ｌ（λ３）−９５．９０９１０３Ｌ（λ４）＋８３．５７５５７７Ｌ（λ５）＋１２５．６６７３４３Ｌ（λ６）−１９８．９７３５７２ｈＬ（λ７）
式中、CHL-a：クロロフィルａの濃度、Ｌ（λ１）〜Ｌ（λ７）：波長λ１ 〜λ７ （１２６４ｎｍ、１３５２ｎｍ、１４０４ｎｍ、１４４４ｎｍ、１８７８ｎｍ、２０８６ｎｍ、２３３２ｎｍ）における吸光度、
【請求項５】
前記残渣の吸光度スぺクトルによって前記残渣の溶存・懸濁物質を計測する工程において、全リンの濃度は、式２によって演算することを特徴とする請求項１の溶存・懸濁性物質濃度を近赤外分光法によって計測する方法。
【式２】
T-P＝−１３４６．６＋８９６．６７０１６６Ｌ（λ１）＋２１６．０３２７６１Ｌ（λ２）
式中、T-P：全リンの濃度、Ｌ（λ１）〜Ｌ（λ２）：波長λ１ 〜λ２ （２４０４ｎｍ、２４５４ｎｍ）における吸光度。
【請求項６】
前記残渣の吸光度スぺクトルによって前記残渣の溶存・懸濁物質を計測する工程において、全窒素の濃度は、式３によって演算することを特徴とする請求項１の溶存・懸濁性物質濃度を近赤外分光法によって計測する方法。
【式３】
T-N＝４２８２．１−３４３９２．９Ｌ（λ１）＋１４５４１．２Ｌ（λ２）＋８３８．１２２６８１Ｌ（λ３）
式中、T-N：全窒素の濃度、Ｌ（λ１）〜Ｌ（λ３）：波長λ１ 〜λ３ （１７８０ｎｍ、２１６４ｎｍ、２２７８ｎｍ）における吸光度。
【請求項７】
前記残渣の吸光度スぺクトルによって前記残渣の溶存・懸濁物質を計測する工程において、フミン酸の濃度は、式４によって演算することを特徴とする請求項１の溶存・懸濁性物質濃度を近赤外分光法によって計測する方法。
【式４】
ｆ＝５２４．０４−７３２．０６５０６３Ｌ（λ１）−２７０．２５２６２５Ｌ（λ２）−２９１．５８６７００Ｌ（λ３）
式中、ｆ：フミン酸の濃度、ａ〜ｃ：係数、Ｌ（λ１）〜Ｌ（λ３）：波長λ１ 〜λ３ （１４１６ｎｍ、２０５２ｎｍ、２３５０ｎｍ）における吸光度。
【発明の詳細な説明】
【０００１】
【発明の属する技術分野】
この出願は、水質汚濁防止法に基づく水質の汚染状態を示す項目として定められているような水質監視項目を迅速に測定する溶存・懸濁性物質濃度を近赤外分光法によって計測する方法に関する。
【０００２】
【従来の技術】
近年、工業排水や家庭排水による湖、沼、池などの集水域の富栄養化による水質汚濁が重大な社会問題となっている。
また、１９７０年に制定された「水質汚濁防止法」は、公共用水域に排出される水の排出を規制することによって公共用水域の水質の汚濁の防止を目的とするもので、政令に水質汚濁防止を計る必要のある公共用水域、汚染状態を示す項目及び水質測定方法をを定めている。
【０００３】
公共用水域に排出される水のＣＯＤ(化学的酸素要求量)やＢＯＤ(生物化学的酸素要求量)の測定により有機物による汚濁の程度を検出して、その結果に基づいて浮遊物質を除去したり、中和処理をしたり、あるいは、有機物の処理をしたりするようにすることにより、環境に悪影響を及ぼさないように規定されている。
【０００４】
排水中の汚染状態を示す項目の全窒素（以下、「Ｔ−Ｎ」という。）、アンモニア態窒素（以下、「ＮＨ４−Ｎ」という。）、硝酸態窒素（以下、「ＮＯ３−Ｎ」という。）、亜硝酸態窒素（以下、「ＮＯ２−Ｎ」という。）、全リン（以下、「Ｔ−Ｐ」という。）、リン酸態リン（以下、「Ｐ０４−Ｐ」という。）、クロム法やマンガン法によるによる化学的酸素要求量（Ｃｈｅｍｉｃａｌ Ｏｘｙｇｅｎ Ｄｅｍａｎｄ、以下、「ＣＯＤｃｒ」及び「ＣＯＤＭｎ」という。）及び生物化学的酸素要求量（Ｂｉｏｃｈｅｍｉｃａｌ Ｏｘｙｇｅｎ Ｄｅｍａｎｄ、以下、「ＢＯＤ」という。）に基づく有機物量、クロロフィルａ（葉緑素の青緑色の色素成分）によって示される藻類、等についての水質汚染因子は、排水の性質を示す数値量として利用されているが、これらの水質汚染因子の定量分析は、因子毎に特有の測定法が用いられている。
【０００５】
例えば、溶存・懸濁性物質を含む被測定溶液中の全窒素、アンモニア態窒素、全リンなどの定量分析は、従来、下水試験方法（日本下水道協会発行、１９８９年改訂）規定された、それぞれの水質因子によって特有の測定法が用いられている。また、いずれの測定法でも、予め標準物質測定による検量線の作成、および、規定された試薬の添加や加熱、懸濁成分除去等の前処理を必要としている。
【０００６】
【発明が解決しようとする課題】
水質汚濁防止法に定められている汚染状態を示す項目つまり水質汚濁物質は、化学分析法や機器分析法による分析がなされているが、これらの方法では採集した水に対し個別に計測する必要があるが、一項目の分析に対して、前処理を含め計測終了まで６時間〜５日間を必要とする。さらに、異なる項目に異なる特定の測定法又は計測装置しか計測できないため、多項目の水質汚濁の計測データを獲得するにはかなりの日時を必要とする難点があり、採水量を多くする必要もあった。
【０００７】
【課題を解決するための手段】
本発明の溶存・懸濁性物質濃度を近赤外分光法によって計測する方法は、溶存・懸濁性物質を含む被測定溶液中の水質汚濁項目、Ｔ−Ｎ、ＮＨ４−Ｎ、ＮＯ３−Ｎ、ＮＯ２−Ｎ、Ｔ−Ｐ、Ｐ０４−Ｐ、有機物質、クロロフィルａ、フミン酸について、溶存・懸濁性物質濃度を近赤外分光法によって計測する方法において、前記溶存・懸濁性物質を含む被測定溶液を０.２〜２μｍのフィルタでろ過し、ろ液と残渣に分け、ろ液は分画分子量２０００〜４０００を有する限外ろ過膜及び分画分子量３０〜５０を有する逆浸透膜で分離する第１の前処理と、前記第１の前処理をした前記フィルタを６０°Ｃ〜１０５°Ｃ、２〜８時間乾燥する第２の前処理と、前記第１の前処理をした限外ろ過膜及び逆浸透膜を−１０°Ｃ〜−２０°Ｃで凍結乾燥した後に、該限外ろ過膜、逆浸透膜を３０°Ｃ〜４０°Ｃ、１０％〜２０％ＲＨの加熱乾燥、又は絶対圧力５〜１０ｍｍＨｇの真空圧下で２０°Ｃ〜３０°Ｃに保持温度による真空凍結乾燥する第３の前処理とからなる前記被測定溶液中の前記溶存・懸濁性物質をろ過、分離する工程、前記溶存・懸濁性物質をろ過、分離した前記フィルタ上の残渣、及び前記限外ろ過膜及び逆浸透膜上の残渣に１２６０〜１２９０ｎｍ、１３５０〜１４６０ｎｍ、１５６０〜１５９０ｎｍ、１６１０〜１６８０ｎｍ、１７４０〜１８８０ｎｍ、２０３０〜２０６５、２０８０〜２２８０ｎｍ、２３００〜２３６０ｎｍ、２４００〜２４８０ｎｍの波長の近赤外光を順次照射し、前記残渣から反射または透過してくる反射光又は透過光をセンサによって検出し、吸光度スぺクトルを計測し、前記残渣の吸光度スぺクトルによって前記残渣の溶存・懸濁物質を計測する工程とからなる。
また、吸光度スぺクトルを計測する工程は、前記フィルタ上の残渣に前記波長の赤外光を照射し、その反射光又は透過光の光強度と参照濃度より解析・計測することにより第１の測定値を得る第１の解析・測定工程と、前記限外ろ過膜及び逆浸透膜上の残渣に前記波長の赤外光を照射し、その反射光又は透過光の光強度と参照濃度より解析・計測することにより第２の測定値を得る第２の解析・測定工程とからなる。
さらに、前記溶存・懸濁物質を計測する工程において、前記第１の測定値を不溶性物質又は懸濁性物質の濃度である第１の濃度とし、前記第２の測定値を溶存性物質濃度である第２の濃度とし、該第１の濃度と第２の濃度の和を全水質汚濁物質濃度として示す。
さらに、前記残渣の吸光度スぺクトルによって前記残渣の溶存・懸濁物質を計測する工程において、クロロフィルａの濃度は、式１によって演算する。
【式１】
CHL-a＝４７１．１−１０５５．１５Ｌ（λ１）＋１３２３．２６Ｌ（λ２）−１９８．２４８０１６Ｌ（λ３）−９５．９０９１０３Ｌ（λ４）＋８３．５７５５７７Ｌ（λ５）＋１２５．６６７３４３Ｌ（λ６）−１９８．９７３５７２ｈＬ（λ７）
式中、CHL-a：クロロフィルａの濃度、Ｌ（λ１）〜Ｌ（λ７）：波長λ１ 〜λ７ （１２６４ｎｍ、１３５２ｎｍ、１４０４ｎｍ、１４４４ｎｍ、１８７８ｎｍ、２０８６ｎｍ、２３３２ｎｍ）における吸光度、
さらに、前記残渣の吸光度スぺクトルによって前記残渣の溶存・懸濁物質を計測する工程において、全リンの濃度は、式２によって演算する。
【式２】
T-P＝−１３４６．６＋８９６．６７０１６６Ｌ（λ１）＋２１６．０３２７６１Ｌ（λ２）
式中、T-P：全リンの濃度、Ｌ（λ１）〜Ｌ（λ２）：波長λ１ 〜λ２ （２４０４ｎｍ、２４５４ｎｍ）における吸光度。
さらに、前記残渣の吸光度スぺクトルによって前記残渣の溶存・懸濁物質を計測する工程において、全窒素の濃度は、式３によって演算する。
【式３】
T-N＝４２８２．１−３４３９２．９Ｌ（λ１）＋１４５４１．２Ｌ（λ２）＋８３８．１２２６８１Ｌ（λ３）
式中、T-N：全窒素の濃度、Ｌ（λ１）〜Ｌ（λ３）：波長λ１ 〜λ３ （１７８０ｎｍ、２１６４ｎｍ、２２７８ｎｍ）における吸光度。
である。
さらに、前記残渣の吸光度スぺクトルによって前記残渣の溶存・懸濁物質を計測する工程において、フミン酸の濃度は、式４によって演算する。
【式４】
ｆ＝５２４．０４−７３２．０６５０６３Ｌ（λ１）−２７０．２５２６２５Ｌ（λ２）−２９１．５８６７００Ｌ（λ３）
式中、ｆ：フミン酸の濃度、ａ〜ｃ：係数、Ｌ（λ１）〜Ｌ（λ３）：波長λ１ 〜λ３ （１４１６ｎｍ、２０５２ｎｍ、２３５０ｎｍ）における吸光度。
【０００８】
【発明の実施の形態】
本願発明は、水質汚濁防止法等で規定する湖沼の水及び河川の水等の溶存・懸濁性物質を含む被測定溶液の水質汚濁項目のうち、全窒素（Ｔ−Ｎ）、アンモニア態窒素（ＮＨ4−Ｎ）、硝酸態窒素（ＮＯ3−Ｎ）、亜硝酸態窒素（ＮＯ2−Ｎ）、全リン（Ｔ−Ｐ）、リン酸態リン（ＰＯ4−Ｐ）、クロム法による化学的酸素要求量（ＣＯＤｃｒ）やマンガン法による化学的酸素要求量（ＣＯＤＭｎ）や生物化学的酸素要求量（ＢＯＤ）による有機物質、クロロフィルａによる藻類、フミン酸等の濃度を近赤外分光法を用いて、計測する方法である。
【０００９】
本発明者は、これらの水質汚濁項目の溶存・懸濁物質を被測定溶液からろ過、分離した後、近赤外光を照射することによって、その反射光量又は透過光量を検出して、近赤外分光計を用いて、近赤外光スぺクトルを得、この近赤外スぺクトルを解析することにより、前記の水質汚濁項目の溶存・懸濁性物質の利用を測定することが出来ることを見出した。
【００１０】
つまり、Ｔ−Ｎ、ＮＨ4−Ｎ、ＮＯ3−Ｎ、ＮＯ2−Ｎ、Ｔ−Ｐ、ＰＯ4−Ｐ、ＣＯＤｃｒやＣＯＤＭｎやＢＯＤによる有機物質、クロロフィルａ及びフミン酸の量は、近赤外光の領域にある１２６０〜１２９０ｎｍ、１３５０〜１４６０ｎｍ、１５６０〜１５９０ｎｍ、１６１０〜１６８０ｎｍ、１７４０〜１８８０ｎｍ、２０３０〜２０６５、２０８０〜２２８０ｎｍ、２３００〜２３６０ｎｍ、２４００〜２４８０ｎｍの波長の反射波または吸収波（透過光）に対応する光強度と参照濃度との校正曲線より計測することができることを見出した。
【００１１】
本発明の溶存・懸濁性物質濃度を近赤外線分光法によって計測する方法を、図１に模式的に示す近赤外分光器及び図２に示すフローチャートに基づき、説明する。
【００１２】
まず、河川、湖沼、下水等（被測定溶液）中の溶存・懸濁性物質をろ過・分離装置１３ａによってろ過、分離する。
【００１３】
溶存・懸濁性物質を含む被測定溶液のろ過、分離は、まず、０.２〜２μｍのフィルタでろ過し（ステップＳ１）、ろ液と残渣に分け、ろ液は分画分子量２０００〜４０００を有する限外ろ過膜で分離し（ステップＳ２）、及び分画分子量３０〜５０を有する逆浸透膜で分離する（ステップＳ３）第１の前処理からなる。
【００１４】
次いで、第１の前処理を行ったフィルタは、フィルタを６０°Ｃ〜１０５°Ｃ、２〜８時間乾燥する第２の前処理を行い（ステップＳ４）、第１の前処理をした限外ろ過膜、逆浸透膜は、−１０°Ｃ〜−２０°Ｃで凍結乾燥した後に、３０°Ｃ〜４０°Ｃ、１０％〜２０％ＲＨの加熱乾燥、又は絶対圧力５〜１０ｍｍＨｇの真空圧下で２０°Ｃ〜３０°Ｃに保持温度による真空凍結乾燥する第３の前処理（ステップＳ５、ステップＳ６）をおこなう。
【００１５】
次に、第１の前処理、第２の前処理及び第３の前処理を行うことによって得られた残渣に１２６０〜１２９０ｎｍ、１３５０〜１４６０ｎｍ、１５６０〜１５９０ｎｍ、１６１０〜１６８０ｎｍ、１７４０〜１８８０ｎｍ、２０３０〜２０６５、２０８０〜２２８０ｎｍ、２３００〜２３６０ｎｍ、２４００〜２４８０ｎｍの波長の近赤外光を光源１１からの光を順次フィルタ１２を通して、特定波長のみを通すように制御装置１５によりフィルタを切り替えて、試料台１３中の残渣に照射し、残渣から反射または透過してくる反射光又は透過光をセンサ１４（透過光センサ１４ａ、反射光センサ１４ｂからなる。）によって検出し、吸光度スぺクトルを計測する（ステップＳ７）。
【００１６】
図２に示す工程に於いて、ステップＳ１においてフィルター上の残渣を不溶性又は懸濁性物質とし、その濃度をＦとする。ステップＳ１においてフィルターを通過したものを湖沼の藻類の繁殖に大きな影響を与えている溶解性物質（フミン酸等）とする。限外ろ過膜の残渣Ａと逆浸透膜の残渣Ｂの合計（Ａ＋Ｂ）を溶解性物質の濃度、つまり可溶性濃度とし、（Ａ＋Ｂ＋Ｆ）を全濃度とする。
【００１７】
この場合、第１の前処理、第２の前処理をしたフィルタ上の残渣に前記波長の赤外光を照射し、その反射光又は透過光の光強度と参照濃度より解析・計測することにより第１の測定値を得る第１の解析・測定工程と、第１の前処理及び第２の前処理をした限外ろ過膜又は逆浸透膜上の残渣に前記波長の赤外光を照射し、その反射光又は透過光の光強度と参照濃度より解析・計測することにより第２の測定値を得る第２の解析・測定工程とに分離して行ってもよい。
【００１８】
また、溶存・懸濁性物質を含む被測定溶液が溶存・懸濁性物質の濃度が比較的高い場合は、被測定溶液中の溶存ガスを絶対圧力１０〜２０ｍｍＨｇで１０〜２０分間脱気し、一定温度下で２０〜２００ｍｌ溶液で液浸１〜１０ｍｍのセル中で前記波長の赤外光を照射し、その反射光又は透過光の光強度と参照濃度より解析・計測することにより第３の測定値を得ることが望ましい。
【００１９】
センサ１４によって検出された吸光度スぺクトルは、制御装置に送られ、演算され、溶存・懸濁物質が近赤外線分光法によって計測され、出力装置１６に出力される。
【００２０】
第１の解析・測定工程で得られた第１の測定値を不溶性物質又は懸濁性物質の濃度である第１の濃度（残渣Ｆ）とし、前記第２の解析・測定工程で得られた前記第２の測定値を溶存性物質濃度である第２の濃度（残渣Ａ＋Ｂ）とし、該第１の濃度と第２の濃度の和を全水質汚濁物質濃度として示すことによって、水質汚濁度の指標とすることが出来る。
【００２１】
以下に、具体的実施例として、藍藻類を例として説明する。藍藻の入った採水サンプルを２１±０.１°Ｃの恒温水浴で定温状態に保持し、分光光度計を用いて２〜４ｎｍ間隔ごとに８００ｎｍ〜２５００ｎｍの吸収スぺクトル1を収集する。
【００２２】
藍藻の入った採水サンプルをガラス繊維フィルタ（ワットマンＧＦ／Ｃ）でろ過し、ろ液と残渣に分け、フィルタを１０５°Ｃ、４時間で乾燥した後、分光光度計を用いて２〜４ｎｍ間隔ごとに８００ｎｍ〜２５００ｎｍの吸収スぺクトル2を収集する。
【００２３】
上記藍藻サンプルに対し、従来測定法（例えばクロロフィル−ａの吸光分光光度法）でクロロフィル−ａ濃度を計測する。２のクロロフィル−ａ濃度を参照濃度とする。
【００２４】
上記吸光度スぺクトル1（または吸光度スぺクトル2）を説明変量、上記クロロフィル−ａ測定値を目的変数として回帰分析する。回帰分析で得られた相関モデルをクロロフィル−ａ測定検量線として使う。重回帰分析法で回帰分析するときに１２６４ｎｍ、１３５２ｎｍ、１４０４ｎｍ、１４４４ｎｍ、１８７８ｎｍ、２０８６ｎｍ、２３３０ｎｍの波長を用いた。
【００２５】
なお、河川、湖沼などの採水サンプルのサンプリング場によって最適な相関波長が上記波長値から多少外れることがある。上記波長を最初に設定解析した後、回帰結果を参照しながら修正すると、よりよい結果が得られる。
【００２６】
吸収スぺクトル1で作成した検量線は藍藻類濃度０．２５ｇ／ｍ3以上の濃度を持つサンプルに適するものであり、吸収スぺクトル2で作成した検量線は藍藻類濃度０.２５ｇ／ｍ3以下のサンプルにも適するものである。
【００２７】
上記検量線の計測精度を次の方法で確認する。検量線作成に使われたサンプル数と大略同じ数の採水サンプルに対して従来法による分析方法で濃度値を計測し、同時にこれらのサンプルに対して上記検量線で濃度値を計算する。従来法の測定値と検量線による計算値との標準偏差分析で検量線を評価する（図３）。
【００２８】
上記藍藻類の検量線が―旦作成したら、サンプルの光吸収スぺクトル1（またはサンプルのスぺクトル2）のデータを検量線の説明変量として入力・解析すると、そのサンプルの濃度値を求めることができる。
【００２９】
クロロフィルａの濃度を求める計算式は、次の通りである
【００３０】
【式１】
CHL-a＝ａ＋ｂＬ（λ1）＋ｃＬ（λ2）＋ｄＬ（λ3）＋ｅＬ（λ4）＋ｆＬ（λ5）＋ｇＬ（λ6）＋ｈＬ（λ7）
【００３１】
式中、CHL-a：クロロフィルａの濃度、ａ〜ｈ：係数、
Ｌ（λ1）〜Ｌ（λ7）：波長λ1 〜λ7 における吸光度、
図４に各係数値、波長を示す。
【００３２】
上記した他の項目に対しても、上記の工程を実施することによって、対応する方法でサンプルを処理し、検量線を作成する。この検量線により同条件のサンプル濃度値を決定する。
【００３３】
以上のような方法での実施例とし、図５、図６に全リンについて実施した場合を示し、図５では重相関係数Ｒ＝０．９８であることが示されている。
全リンの濃度の計算式を式２に示す。
【００３４】
【式２】
T-P＝ａ＋ｂＬ（λ1）＋ｃＬ（λ2）
【００３５】
式中、T-P：全リンの濃度、ａ〜ｃ：係数、Ｌ（λ1）〜Ｌ（λ2）：波長λ1 〜λ2 における吸光度、図５に各係数値、波長を示す。
【００３６】
他の実施例とし、図７、図８に全窒素について実施した場合を示し、図７では重相関係数Ｒ＝０．９７であることが示されている。
全窒素の濃度の計算式を式３に示す。
【００３７】
【式３】
T-N＝ａ＋ｂＬ（λ1）＋ｃＬ（λ2）＋ｄＬ（λ3）
【００３８】
式中、T-N：全リンの濃度、ａ〜ｃ：係数、Ｌ（λ1）〜Ｌ（λ3）：波長λ1 〜λ3 における吸光度、図８に各係数値、波長を示す。
【００３９】
他の実施例とし、フミン酸の濃度の計算式を式４に示す。
【００４０】
【式４】
ｆ＝ａ＋ｂＬ（λ1）＋ｃＬ（λ2）＋ｄＬ（λ3）
【００４１】
式中、ｆ：フミン酸の濃度、ａ〜ｃ：係数、Ｌ（λ1）〜Ｌ（λ3）：波長λ1 〜λ3 における吸光度、図９に各係数値、波長を示す。
【００４２】
また、不溶性物質の濃度又は懸濁性物質の濃度、溶存性物質の濃度のうち、富栄養化によって発生する藍藻類の濃度との対応をニューラルネットワーク分析、多重回帰分析及び主成分分析などの多変量解析法により、藍藻類の濃度変化を予測することもできる。
【００４３】
【発明の効果】
本発明は、上記のような構成を有するため、１〜１０時間以内で測定することが可能であるばかりでなく、１サンプルに対して複数の項目の計測が一度に行うことが可能で、かつ、、統計処理により濃度変化の予測が可能である。
また、フィルター、限外ろ過膜、逆浸透膜を用いて、試料中の物質を抽出するため、不溶性・懸濁性物質及び溶存性物質の濃度を正確に測定できる。
【図面の簡単な説明】
【図１】  本願発明の実施例の、近赤外分光器の模式図。
【図２】  本願発明の実施例の、近赤外分光方の試料のろ過方法を示すフローチャート。
【図３】  本願発明をクロロフィルａの濃度の計測に実施した場合の、従来の吸光光度法によるクロロフィルａの濃度測定値との相関度を示す図。
【図４】  クロロフィルａの濃度を求める波長と回帰係数を示す図。
本願発明をクロロフィルａの濃度の計測に実施した場合の、従来の吸光光度法によるクロロフィルａの濃度測定値との相関度を示す図。
【図５】  本願発明を全リンの濃度の計測に実施した場合の、従来の吸光光度法による濃度測定値との相関度を示す図。
【図６】  全リンの濃度を求める波長と回帰係数を示す図。
【図７】  本願発明を全窒素の濃度の計測に実施した場合の、従来の吸光光度法による濃度測定値との相関度を示す図。
【図８】  全窒素の濃度を求める波長と回帰係数を示す図。
【図９】  フミン酸の濃度を求める波長と回帰係数を示す図。
【符号の説明】
１１  光源、１２  フィルタ、１３  試料台、１４  センサ、１５  制御装置
【図１】
0003752168.tif 000002
【図２】
0003752168.tif 000003
【図３】
0003752168.tif 000004
【図４】
0003752168.tif 000005
【図５】
0003752168.tif 000006
【図６】
0003752168.tif 000007
【図７】
0003752168.tif 000008
【図８】
0003752168.tif 000009
【図９】
0003752168.tif 000010